(57)【要約】【課題】数字選択式宝くじナンバーズの当選ナンバーズを予測するためのナンバーズの格付けデータを提供する。【解決手段】数字選択式宝くじナンバーズの対象となる３ケタあるいは４ケタの全ての組み合わせ数字、あるいは、２ケタの全ての組み合わせ数字、あるいは、２個の同数字の全ての組み合わせ数字、あるいは、３個の同数字の全ての組み合わせ数字、あるいは１ケタの全ての数字に対して、当選ナンバーズの数字として出現する出現確率を過去の抽選データを含む所定の基準に基づいて演算し、これらの組み合わせ数字あるいは１ケタの数字に、出現確率に基づいて格付け指数を付与する。これら格付けされた組み合わせ数字あるいは１ケタの数字を数字選択式宝くじナンバーズの当選ナンバーズを予測するための支援データとしてコンピュータの画面に表示する。【選択図】図１
2004164257.tif 000002
【特許請求の範囲】
【請求項１】
数字選択式宝くじナンバーズの当選ナンバーズを予測するための支援データを作成する方法であって、数字選択式宝くじナンバーズの対象となる３ケタあるいは４ケタの組み合わせ数字あるいは２ケタの組み合わせ数字あるいは２個の同数字の組み合わせあるいは３個の同数字の組み合わせあるいは１ケタの数字の、当選ナンバーズの数字として出現する出現確率を過去の抽選データを含む所定の基準に基づいて演算し、前記組み合わせ数字あるいは１ケタの数字に前記出現確率に基づいて格付け指数を付与するようにしたことを特徴とする数字選択式宝くじナンバーズの予測支援データ作成方法。
【請求項２】
数字選択式宝くじナンバーズの当選ナンバーズを予測するための支援データを作成する方法であって、数字選択式宝くじナンバーズの対象となる３ケタあるいは４ケタの組み合わせ数字の、並びと数字が一致するストレート当選本数字として出現するストレート出現確率を、過去の抽選において出現した抽選本数字の各々の出現回数の計算をする過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたことを特徴とする数字選択式宝くじナンバーズの予測支援データ作成方法。
【請求項３】
数字選択式宝くじナンバーズの当選ナンバーズを予測するための支援データを作成する方法であって、数字選択式宝くじナンバーズの対象となる３ケタあるいは４ケタの組み合わせ数字の、数字が一致すれば良く並びの順序を問わないボックス当選本数字として出現するボックス出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたことを特徴とする数字選択式宝くじナンバーズの予測支援データ作成方法。
【請求項４】
数字選択式宝くじナンバーズの当選ナンバーズを予測するための支援データを作成する方法であって、数字選択式宝くじナンバーズの対象となる２ケタの組み合わせ数字の、下２ケタの並びの順序と数字が一致するミニ当選本数字として出現するミニ出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたことを特徴とする数字選択式宝くじナンバーズの予測支援データ作成方法。
【請求項５】
数字選択式宝くじナンバーズの当選ナンバーズを予測するための支援データを作成する方法であって、抽選本数字の中に同じ数字が２個出現するダブル出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたことを特徴とする数字選択式宝くじナンバーズの予測支援データ作成方法。
【請求項６】
数字選択式宝くじナンバーズの当選ナンバーズを予測するための支援データを作成する方法であって、抽選本数字の中に同じ数字が３個出現するトリプル出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたことを特徴とする数字選択式宝くじナンバーズの予測支援データ作成方法。
【請求項７】
数字選択式宝くじナンバーズの当選ナンバーズを予測するための支援データを作成する方法であって、数字選択式宝くじナンバーズの対象となる１ケタの数字が当選ナンバーズの本数字として出現するシングル出現確率を、過去の抽選において出現した抽選本数字の各位の数字の出現回数と出現回数理論値との偏差を計算する出現値各位出現回数偏差計算処理に基づいて演算するようにしたことを特徴とする数字選択式宝くじナンバーズの予測支援データ作成方法。
【請求項８】
コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、数字選択式宝くじナンバーズの対象となる３ケタ又は４ケタの組み合わせ数字が並びと数字が一致する数字選択式宝くじナンバーズのストレート当選番号として出現する確率を演算し該確率に基づいて全３ケタ又は４ケタの組み合わせ数字に対して格付け指数を付与するようにしたことを特徴とする数字選択式宝くじナンバーズの予測支援データ作成プログラム。
【請求項９】
コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、数字選択式宝くじナンバーズの対象となる３ケタ又は４ケタの組み合わせ数字が、数字が一致すれば並びの順序を問わない数字選択式宝くじナンバーズのボックス当選番号として出現する確率を演算し該確率に基づいて全３ケタ又は４ケタの組み合わせ数字に対して格付け指数を付与するようにしたことを特徴とする数字選択式宝くじナンバーズの予測支援データ作成プログラム。
【請求項１０】
コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、２ケタの組み合わせ数字が下２ケタの並びの順序と数字が一致する数字選択式宝くじナンバーズのミニ当選番号として出現する確率を演算し該確率に基づいて全２ケタの組み合わせ数字に対して格付け指数を付与するようにしたことを特徴とする数字選択式宝くじナンバーズの予測支援データ作成プログラム。
【請求項１１】
コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、抽選本数字の中に同じ数字が２個出現するダブル出現確率を演算し該確率に基づいて２個が同じ数字の全組み合わせ数字に対して格付け指数を付与するようにしたことを特徴とする数字選択式宝くじナンバーズの予測支援データ作成プログラム。
【請求項１２】
コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、抽選本数字の中に同じ数字が３個出現するトリプル出現確率を演算し該確率に基づいて３個が同じ数字の全組み合わせ数字に対して格付け指数を付与するようにしたことを特徴とする数字選択式宝くじナンバーズの予測支援データ作成プログラム。
【請求項１３】
コンピュータを、
過去の抽選において出現した抽選本数字の各位の数字の出現回数と出現回数理論値との偏差を計算する出現値各位出現回数偏差計算手段、
として機能させ、数字選択式宝くじナンバーズの対象となる１ケタの数字が当選ナンバーズの本数字として出現するシングル出現確率を演算し該確率に基づいて全１ケタの数字に対して格付け指数を付与するようにしたことを特徴とする数字選択式宝くじナンバーズの予測支援データ作成プログラム。
【発明の詳細な説明】
【０００１】
【発明の属する技術分野】
本発明は、数字選択式宝くじナンバーズの予測支援データを作成する方法及び同予測支援データ作成プログラムに関する。
【０００２】
【従来の技術】
従来、数字選択式宝くじナンバーズの当選ナンバーズを予想するためのツールとして種々の予想プログラムが知られている。
【０００３】
【発明が解決しようとする課題】
数字選択式宝くじナンバーズの愛好者が当選ナンバーズを予想する場合、予想のための参考データとして、当選ナンバーズとして出現する確率の高いものから順に格付けされたナンバーズデータが欲しい場合がある。しかるにこのようなナンバーズ格付けデータを提供するサイトやプログラムが存在せず、そのため、当選ナンバーズの予想のためのアプローチが限定されたものとなっている。
本発明は上記問題点を解決することを目的とするものである。
【０００４】
【課題を解決するための手段】
上記目的を達成するため、本発明は、数字選択式宝くじナンバーズの当選ナンバーズを予測するための支援データを作成する方法であって、数字選択式宝くじナンバーズの対象となる３ケタあるいは４ケタの組み合わせ数字あるいは２ケタの組み合わせ数字あるいは２個の同数字の組み合わせあるいは３個の同数字の組み合わせあるいは１ケタの数字の、当選ナンバーズの数字として出現する出現確率を過去の抽選データを含む所定の基準に基づいて演算し、前記組み合わせ数字あるいは１ケタの数字に前記出現確率に基づいて格付け指数を付与するようにしたものである。
また本発明は、数字選択式宝くじナンバーズの当選ナンバーズを予測するための支援データを作成する方法であって、数字選択式宝くじナンバーズの対象となる３ケタあるいは４ケタの組み合わせ数字の、並びと数字が一致するストレート当選本数字として出現するストレート出現確率を、過去の抽選において出現した抽選本数字の各々の出現回数の計算をする過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたものである。
また本発明は、数字選択式宝くじナンバーズの当選ナンバーズを予測するための支援データを作成する方法であって、数字選択式宝くじナンバーズの対象となる３ケタあるいは４ケタの組み合わせ数字の、数字が一致すれば良く並びの順序を問わないボックス当選本数字として出現するボックス出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたものである。
また本発明は、数字選択式宝くじナンバーズの当選ナンバーズを予測するための支援データを作成する方法であって、数字選択式宝くじナンバーズの対象となる２ケタの組み合わせ数字の、下２ケタの並びの順序と数字が一致するミニ当選本数字として出現するミニ出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたものである。
また本発明は、数字選択式宝くじナンバーズの当選ナンバーズを予測するための支援データを作成する方法であって、抽選本数字の中に同じ数字が２個出現するダブル出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたものである。
また本発明は、数字選択式宝くじナンバーズの当選ナンバーズを予測するための支援データを作成する方法であって、抽選本数字の中に同じ数字が３個出現するトリプル出現確率を、過去の抽選において出現した抽選本数字の各々の出現回数を計算する過去の出現回数の計算処理と、過去の抽選において出現した抽選本数字の各位の数値と各位の出現理論値との偏差を計算する出現値各位偏差計算処理と、過去の抽選において出現した抽選本数字の各位の数字の出現回数と出現回数理論値との偏差を計算する出現値各位出現回数偏差計算処理と、過去の抽選において出現した抽選本数字がその抽選の以前の抽選本数字と同数字であるかを判定し指数を計算する同数字出現指数計算処理と、過去の抽選において出現した抽選本数字の奇数偶数性属性がその抽選の以前の抽選本数字の奇数偶数性属性と同様であるかを判定し指数を計算する奇数偶数出現指数計算処理と、過去の抽選において出現した抽選本数字の合計値がその抽選の以前の抽選本数字の合計値と同数であるかを判定し指数を計算する合計値同数出現指数計算処理と、過去の抽選において出現した抽選本数字の合計値が２１よりも大きいかまたは６より小さいかを判定し指数を計算する合計値最大最小範囲の指数計算処理とに基づいて演算するようにしたものである。
また本発明は、数字選択式宝くじナンバーズの当選ナンバーズを予測するための支援データを作成する方法であって、数字選択式宝くじナンバーズの対象となる１ケタの数字が当選ナンバーズの本数字として出現するシングル出現確率を、過去の抽選において出現した抽選本数字の各位の数字の出現回数と出現回数理論値との偏差を計算する出現値各位出現回数偏差計算処理に基づいて演算するようにしたものである。
また本発明は、コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、数字選択式宝くじナンバーズの対象となる３ケタ又は４ケタの組み合わせ数字が並びと数字が一致する数字選択式宝くじナンバーズのストレート当選番号として出現する確率を演算し該確率に基づいて全３ケタ又は４ケタの組み合わせ数字に対して格付け指数を付与するようにしたものである。
また本発明は、コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、数字選択式宝くじナンバーズの対象となる３ケタ又は４ケタの組み合わせ数字が、数字が一致すれば並びの順序を問わない数字選択式宝くじナンバーズのボックス当選番号として出現する確率を演算し該確率に基づいて全３ケタ又は４ケタの組み合わせ数字に対して格付け指数を付与するようにしたものである。
また本発明は、コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、２ケタの組み合わせ数字が下２ケタの並びの順序と数字が一致する数字選択式宝くじナンバーズのミニ当選番号として出現する確率を演算し該確率に基づいて全２ケタの組み合わせ数字に対して格付け指数を付与するようにしたものである。
また本発明は、コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、抽選本数字の中に同じ数字が２個出現するダブル出現確率を演算し該確率に基づいて２個が同じ数字の全組み合わせ数字に対して格付け指数を付与するようにしたものである。
また本発明は、コンピュータを、
過去の抽選において出現した抽選本数字の各々の出現回数を計算する過去の出現回数計算手段、
過去の抽選において出現した抽選本数字の各位の数値と各位の出現理論値との偏差を計算する出現値各位偏差計算手段、
過去の抽選において出現した抽選本数字の各位の数字の出現回数と出現回数理論値との偏差を計算する出現値各位出現回数偏差計算手段、
過去の抽選において出現した抽選本数字がその抽選の以前の抽選本数字と同数字であるかを判定し指数を計算する同数字出現指数計算手段、
過去の抽選において出現した抽選本数字の奇数偶数性属性がその抽選の以前の抽選本数字の奇数偶数性属性と同様であるかを判定し指数を計算する奇数偶数出現指数計算手段、
過去の抽選において出現した抽選本数字の合計値がその抽選の以前の抽選本数字の合計値と同数であるかを判定し指数を計算する合計値同数出現指数計算手段、過去の抽選において出現した抽選本数字の合計値が２１よりも大きいかまたは６より小さいかを判定し指数を計算する合計値最大最小範囲の指数計算手段、として機能させ、抽選本数字の中に同じ数字が３個出現するトリプル出現確率を演算し該確率に基づいて３個が同じ数字の全組み合わせ数字に対して格付け指数を付与するようにしたものである。
また本発明は、コンピュータを、
過去の抽選において出現した抽選本数字の各位の数字の出現回数と出現回数理論値との偏差を計算する出現値各位出現回数偏差計算手段、
として機能させ、数字選択式宝くじナンバーズの対象となる１ケタの数字が当選ナンバーズの本数字として出現するシングル出現確率を演算し該確率に基づいて全１ケタの数字に対して格付け指数を付与するようにしたものである。
【０００５】
【発明の実施の形態】
以下に本発明の実施の形態を添付した図面を参照して詳細に説明する。
図１は本発明である数字選択式宝くじナンバーズの予測支援データ作成プログラムの機能説明ブロック図を示している。
本プログラムの説明の前に、本プログラムが対象とする数字選択式宝くじナンバーズについて説明する。
数字選択式宝くじナンバーズには０から９までの数字の中から３ケタの数字を選択して申し込むナンバーズ３と、４ケタの数字を申し込むナンバーズ４の２種類がある。申し込みは、ストレート、ボックス、セット、ミニの４種類がある。ストレートとは、３ケタ（又は４ケタ）の各数字と並びの順序が一致するタイプであり、例えば、抽選数字が１２３であれば、当選となる数字は１２３である。ボックスとは、３ケタ（又は４ケタ）の各数字が一致すれば並びの順序は問わないタイプであり、例えば抽選数字が１２３であれば、当選となる数字は、１２３，１３２，２１３，２３１，３１２，３２１の６通りである。セットとはストレートとボックスに半分ずつ申し込むものである。
【０００６】
ミニとは、下２ケタの数字と並びの順序が一致するタイプであり、例えば、抽選数字が１２３であれば、当選となる数字は２３である。本プログラムは、０から９までの数字の、３ケタ（又は４ケタ）の組み合わせ数字あるいは２ケタの組み合わせ数字、あるいは１ケタの各数字の、当選番号として出現する確率の格付け即ちレーティングを行い、この格付けにより、当選数字を予測する場合の当選予測支援データとして利用できるようにするものである。また、本プログラムは、３ケタ（又は４ケタ）の抽選数字の中に、同じ数字が２個出現するダブルの確率の格付け即ちレーティングを行い、この格付けにより、当選数字を予測する場合の当選予測支援データとして利用できるようにするものである。また、本プログラムは、３ケタ（又は４ケタ）の抽選数字の中に、同じ数字が３個出現するトリプルの確率の格付け即ちレーティングを行い、この格付けにより、当選数字を予測する場合の当選予測支援データとして利用できるようにするものである。本プログラムのデータ格納部２には、過去の抽選結果のデータが全て格納されている。このデータは、データ取込部１０から新しいデータが入力されると更新される。本プログラムをコンピュータ上で実行すると、画面表示部６が働き、本プログラムの初期画面４（図８参照）が表示される。この初期画面４の中の左側には、ストレートレーティング、ボックスレーティング、ミニレーティング、ダブルレーティング、トリプルレーティング、シングルレーティングの各ボタンが表示されている。
【０００７】
まずストレートレーティングの動作について図２のフローチャートを参照して説明する。
ストレートレーティングは、３ケタ（又は４ケタ）の組み合わせ数字の全てに対して、ストレートタイプの当選数字として出現する確率を示す格付け指数を付与するものである。この格付け指数の付与を以下レーティングと称することにする。以下はナンバーズ３の場合についての説明であるが、ナンバーズ４についても適用されることは勿論のことである。初期画面４のストレートレーティングのボタンをクリックすると、ストレートレーティング演算部８が動作する。コンピュータの操作者は、まず、初期画面４の回数入力欄に、予測する抽選の回号の数値即ち予測回数ｉを入力する（ステップ１）。入力欄に予測回数ｉが入力されると、データ取込部１０はこのデータをデータ格納部２に取り込む。次にプログラムの初期化が行われる（ステップ２）。この初期化により、配列Ａ（６，ｉ），配列Ｂ（１６，１０００）がデータ格納部２の中に格納され、配列Ａ，Ｂ内に初期データが確保される。ここでＡはナンバーズ抽選データの配列、Ｂは計算中間データの配列、ｉは予測の回数である。次にストレートレーティング演算部８は過去の出現回数の計算を行う（ステップ３）。
【０００８】
０から９の数字の３ケタのストレートタイプの組み合わせは全部で１０００組ある。ストレートレーティング演算部８は、ステップ３において、全ての３ケタの組数字（０００〜９９９）の各々ごとに、過去の抽選において出現した出現回数の計算を行う。過去の抽選の結果はデータ制御部１２によりデータ格納部２から検索される。過去の出現回数の計算Ｂ（１，ｑ）〜Ｂ（３，ｑ）は次式により計算される。
Ｂ（ｊ，ｑ）＝Ｂ（ｊ，ｑ）＋１  （Ａ（２，ｉ）＝ｑ，ｊ＝１〜３）
ここでｊは計算変数、ｑはナンバーズの組み合わせ変数である。
次にストレートレーティング演算部８は、出現値各位偏差計算Ｂ（４，ｑ）〜Ｂ（６，ｑ）を行う（ステップ４）。この計算式は次に示す通りである。
Ｂ（ｊ，ｑ）＝ＡＢＳ（Ｐｋ（Ａ（２，ｉ））−Ｐｋ（ｑ））（ｋ＝１〜３，ｊ＝４〜６）
ここでｋは計算変数、Ｐｋは第ｋ位偏差関数である。
【０００９】
出現値各位偏差計算は、過去の抽選において出現した抽選本数字の各位（百位、十位、一位）の数値と各位の出現理論値との偏差の計算であり、例えば回号ｉが１回目の、抽選結果が１２３であると、百位の１については、例えば出現理論値が５であるとすると、偏差は−４となる。十位の２については、出現理論値が例えば５であるとすると、偏差は−３となる。このようにして、過去の抽選において出現した抽選本数字の各位の数値と各位の出現理論値との偏差の計算を行う。ここで、出現理論値とは、統計学、確率論に基づいて算出した数学上の理論値である。
次に、ストレートレーティング演算部８は、出現値各位出現回数偏差計算Ｂ（７，ｑ）〜Ｂ（１２，ｑ）を行う（ステップ５）。この計算式は次の通りである。
Ｂ（ｊ，ｑ）＝Σ（Ｐｋ（Ａ（２，ｉ））＝Ｐｋ（ｑ））−１０（ｋ＝１〜３，ｊ＝７〜１２）
ここでΣは直和集合記号である。
出現値各位出現回数偏差計算は、過去の抽選において出現した抽選本数字の各位（百位、十位、一位）の数字の出現回数と出現回数理論値との偏差の計算である。ここで、出現回数理論値とは、統計学、確率論に基づいて算出した数学上の理論値である。
次に、ストレートレーティング演算部８は、同数字出現指数計算Ｂ（１３，ｑ）を次の計算式で行う（ステップ６）。
Ｂ（１３，ｑ）＝（０，１）（Ａ（２，ｉ−１）＝ｑ）
この計算は、過去の抽選において出現した抽選本数字がその抽選の以前の抽選本数字と同数字であるかを判定し、指数を計算する。例えば、０５６，５２４，１２３，３０３，４５６，１２３と続いた場合、抽選本数字１２３の判定は、ＮＯ，ＮＯ，ＹＥＳ，ＮＯ，ＮＯとなる。この判定結果に基づき指数を計算する。
【００１０】
次にストレーティング演算部８は、奇数偶数出現指数計算Ｂ（１４，ｑ）を次の計算式で行う（ステップ７）。
Ｂ（１４，ｑ）＝（０，１）（ＰｋＡ（２，ｉ−１）ｍｏｄ２＝Ｐｋ（ｑ）ｍｏｄ２）
この計算は、過去の抽選において出現した抽選本数字の奇数偶数属性が、その抽選の以前の抽選本数字の奇数偶数性属性と同様であるかを判定し、指数を計算するものである。例えば百位において、０，１，５，０，２，２と本数字が続いた場合、偶数属性の判定は、ＹＥＳ，ＮＯ，ＮＯ，ＹＥＳ，ＹＥＳとなり、この判定結果に基づき指数を計算する。
次にストレートレーティング演算部８は、合計値同数出現指数計算Ｂ（１５，ｑ）を次の計算式で行う（ステップ８）。
Ｂ（１５，ｑ）＝（０，１）（ΣＰｋＡ（２，ｉ−１）＝ΣＰｋ（ｑ））
この計算は、過去の抽選において出現した抽選本数字の合計値が、その抽選の以前の抽選本数字の合計値と同数であるかを判定し、指数を計算するものである。
【００１１】
次にストレートレーティング演算部８は、合計値最大最小範囲の指数計算Ｂ（１６，ｑ）を次の計算式で行う（ステップ９）。
Ｂ（１６，ｑ）＝（０，１）（２１＜ΣＰｋ（ｑ）＜６）
この計算は、過去の抽選において出現した抽選本数字の合計値が２１よりも大きいかまたは６より小さいかを判定し、指数を計算する。
次にストレートレーティング演算部８は、確率関数ａｌｐｈａ（ｊ）の計算を次の計算式で行う（ステップ１０）。
ａｌｐｈａ（ｊ）＝ｆｊ（Ａ（２，ｉ））（ｊ＝１〜１６）
ここで、ａｌｐｈａ（ｊ）は、第ｊ個確率係数、ｆｊ（ｘ）は第ｊ個確率関数である。
次にストレートレーティング演算部８は、ストレート確率の計算Ｐ（ｑ）を次の計算式で行う（ステップ１１）。
Ｐ（ｑ）＝Πａｌｐｈａ（ｊ）Ｂ（ｊ，ｑ）（ｊ＝１〜１６）
ここでΠは直積集合記号である。
次に、ストレートレーティング演算部８は、上記計算結果に基づき、ストレート格付け指数即ちストレートレーティングを作成し（ステップ１２）、この結果が図８に示すようにコンピュータの画面のレーティング表示欄１４に表示される。
【００１２】
次にボックスレーティングの動作について図３のフローチャートを参照して説明する。
ボックスレーティング処理は、３ケタ（又は４ケタ）の組み合わせ数字の全てに対して、ボックスタイプの当選数字として出現する確率の格付けを行うものである。図８に示す初期画面４のボックスレーティングのボタンをクリックすると、ボックスレーティング演算部１６は、図２に示すステップ１〜１１と同様のステップ１〜１１の処理を行った後、ステップ１２でボックス確率の計算Ｐｂ（ｊ）を次の計算式で行う。
Ｐｂ（ｊ）＝ΣＰ（ｑ）（ｊ＝１〜２１０）
次にボックスレーティング演算部１６は、ボックス確率の規格化を次の計算式で行う。
Ｐｂ（ｊ）＝Ｐｂ（ｊ）／ΣＰｂ（ｊ）
このボックス確率の規格化は、ボックス確率の計算の単位化のための計算である。ボックス確率の計算の段階では、単位（例えばパーセントとか１／１０００とか）が付かない数字だけの状態であるが、規格化によって、計算結果にパーセントとか１／１０００とかの単位付けを行う。本実施形態では、１／１０００の単位付けを行い、ボックスレーティングを作成して（ステップ１４）、コンピュータの画面の表示欄１４に図９に示すように表示する。
次に図４のフローチャートを参照してミニレーティングの動作について説明する。
【００１３】
ミニレーティングの処理は、２ケタの組み合わせ数字の全てに対して、ミニタイプの当選数字として出現する確率に基づく格付けを行うものである。
初期画面４のミニレーティングのボタンをクリックすると、ミニレーティング演算部１８は、図２に示す、ステップ１〜１１と同様なステップ１〜１１の処理を行った後、ステップ１２でミニ確率の計算Ｐｂ（ｊ）を次の計算式で行う。
Ｐｂ（ｊ）＝ΣＰ（ｑ）（ｊ＝１〜１００）
次に、ミニ確率の規格化を次の計算式で行う（ステップ１３）。
Ｐｂ（ｊ）＝Ｐｂ（ｊ）／ΣＰｂ（ｊ）
次に、ミニレーティングを作成し、図１０に示すミニレーティング表示を表示欄１４に表示する（ステップ１４）
次にダブルレーティングの動作について図５を参照して説明する。
ダブルレーティング処理は、３ケタ（又は４ケタ）の抽選本数字の中に同じ数字（例えば００，１１，２２等）が２個出現する確率の格付けを、２個の同じ数字を含む全組み合わせに対して行う。図８に示す初期画面４のダブルレーティングのボタンをクリックすると、ダブルレーティング演算部２０は、図２に示す、ステップ１〜１１と同様なステップ１〜１１の処理を行った後、ステップ１２でダブル確率の計算Ｐｂ（ｊ）を次の計算式で行う。
【００１４】
Ｐｂ（ｊ）＝ΣＰ（ｑ）（ｊ＝１〜１０）
次に、ダブル確率の規格化を次の計算式で行う（ステップ１３）。
Ｐｂ（ｊ）＝Ｐｂ（ｊ）／ΣＰｂ（ｊ）
次に、ダブルレーティングを作成し、図１１に示すようにダブルレーティング表示を表示欄１４に表示する（ステップ１４）
次にトリプルレーティングの動作について図６のフローチャートを参照して説明する。
トリプルレーティング処理は、３ケタ（又は４ケタ）の抽選本数字の中に同じ数字（例えば０００，１１１，２２２等）が３個出現する確率の格付けを、３個の同じ数字を含む全組み合わせに対して行う。図８に示す初期画面４のトリプルレーティングのボタンをクリックすると、トリプルレーティング演算部２２は、図２に示す、ステップ１〜１１と同様なステップ１〜１１の処理を行った後、ステップ１２でトリプル確率の計算Ｐｂ（ｊ）を次の計算式で行う。
Ｐｂ（ｊ）＝ΣＰ（ｑ）（ｊ＝１〜１０）
次に、トリプル確率の規格化を次の計算式で行う（ステップ１３）。
Ｐｂ（ｊ）＝Ｐｂ（ｊ）／ΣＰｂ（ｊ）
次に、トリプルレーティングを作成し、図１２に示すように、トリプルレーティング表示を表示欄１４に表示する（ステップ１４）
次にシングルレーティングの動作について図７を参照して説明する。
シングルレーティング処理は、１ケタの数字例えば、０，１，２等の数字の全てに対して当選番号として出現する確率の格付けを行う。図８に示す初期画面４のシングルレーティングのボタンをクリックすると、シングルレーティング演算部２４は、予測回数ｉ入力処理（ステップ１）、初期化（ステップ２）を行った後、出現値各位出現回数偏差計算Ｂ（１，ｑ）〜Ｂ（３，ｑ）を行う（ステップ３）。この計算式は次の通りである。
【００１５】
Ｂ（ｊ，ｑ）＝Σ（Ｐｋ（Ａ（２，ｉ））＝Ｐｋ（ｑ））・３（ｑ＝１〜１０，ｋ＝１〜３，ｊ＝７〜１２）
次にシングルレーティング演算部２４は、確率関数ａｌｐｈａ（ｊ）の計算を次の計算式で行う（ステップ４）。
ａｌｐｈａ（ｊ）＝ｆｊ（Ａ（２，ｉ））（ｊ＝１〜３）
次にシングルレーティング演算部２４は、シングル確率の計算Ｐ（ｑ）を次の計算式で行う（ステップ５）。
Ｐ（ｑ）＝Πａｌｐｈａ（ｊ）Ｂ（ｊ，ｑ）（ｊ＝１〜３）
次に、シングルレーティング演算部２４は、シングル確率の規格化を次の計算式で行う（ステップ６）。
Ｐｂ（ｊ）＝Ｐｂ（ｊ）／ΣＰｂ（ｊ）
次に、シングルレーティングを作成し、図１３に示すように、シングルレーティング表示を表示欄１４に表示する（ステップ７）。
【００１６】
【発明の効果】
本発明は上述の如く構成したので、数字選択式宝くじナンバーズの当選番号を予測するときの参考となる便利なデータを提供することができる。
【図面の簡単な説明】
【図１】本発明の機能ブロック説明図である。
【図２】ストレートレーティング演算処理を示すフローチャートである。
【図３】ボックスレーティング演算処理を示すフローチャートである。
【図４】ミニレーティング演算処理を示すフローチャートである。
【図５】ダブルレーティング演算処理を示すフローチャートである。
【図６】トリプルレーティング演算処理を示すフローチャートである。
【図７】シングルレーティング演算処理を示すフローチャートである。
【図８】本プログラムの初期画面を示す説明図である。
【図９】ボックスレーティング表示の一例を示す説明図である。
【図１０】ミニレーティング表示の一例を示す説明図である。
【図１１】ダブルレーティング表示の一例を示す説明図である。
【図１２】トリプルレーティング表示の一例を示す説明図である。
【図１３】シングルレーティング表示の一例を示す説明図である。
【符号の説明】
４    初期画面
１４  レーティング表示欄
【図１】
2004164257.tif 000003
【図２】
2004164257.tif 000004
【図３】
2004164257.tif 000005
【図４】
2004164257.tif 000006
【図５】
2004164257.tif 000007
【図６】
2004164257.tif 000008
【図７】
2004164257.tif 000009
【図８】
2004164257.tif 000010
【図９】
2004164257.tif 000011
【図１０】
2004164257.tif 000012
【図１１】
2004164257.tif 000013
【図１２】
2004164257.tif 000014
【図１３】
2004164257.tif 000015